(57)【要約】【課題】本発明の課題は、滑らかな書き味を奏しつつ、書き出し性能にも優れる筆記具用油性インキ組成物およびそれを用いた筆記具を提供すること。【解決手段】着色剤と、有機溶剤と、ライスオイルと、を含んでなることを特徴とする、筆記具用油性インキ組成物とすること。【選択図】なし【特許請求の範囲】
【請求項１】
着色剤と、有機溶剤と、ライスオイルと、を含んでなることを特徴とする、筆記具用油性インキ組成物。
【請求項２】
前記ライスオイルの脂質が、炭素数１６以上の脂肪酸を含んでなる、請求項１に記載の筆記具用油性インキ組成物。
【請求項３】
前記ライスオイルの含有率が、前記筆記具用油性インキ組成物の総質量を基準として、０．０５質量％〜１０質量％である、請求項１または請求項２に記載の筆記具用油性インキ組成物。
【請求項４】
ポリビニルブチラール樹脂を更に含んでなる、請求項１〜請求項３のいずれか１項に記載の筆記具用油性インキ組成物。
【請求項５】
無機球状粒子を更に含んでなる、請求項１〜請求項４のいずれか１項に記載の筆記具用油性インキ組成物。
【請求項６】
請求項１〜請求項５のいずれか１項に記載の筆記具用油性インキ組成物を収容してなることを特徴とする、筆記具。
【請求項７】
インキ収容筒の先端部に、ボールを回転自在に抱持したチップ本体を有し、前記インキ収容筒内に請求項１〜請求項５のいずれか１項に記載の筆記具用油性インキ組成物を収容してなることを特徴とする、油性ボールペン。
【発明の詳細な説明】
【技術分野】
【０００１】
本発明は筆記具用油性インキ組成物およびそれを用いた筆記具に関するものである。
【背景技術】
【０００２】
ボールペンやマーキングペン等の筆記具は、筆記時に筆記先端部と被筆記面との間に生じる筆記抵抗の影響を受け、書き味が損なわれてしまうことがある。中でも、ボールペンは、ステンレス鋼などからなるチップ本体と、該チップ本体のボール座に抱持される超鋼などの金属からなるボールと、からなるボールペンチップをインキ収容筒に装着した構成を有していることから、他の種類の筆記具と異なり、ボールとボール座との間の潤滑性が不足すると、筆記時のボールの円滑な回転が妨げられ、書き味が損なわれてしまうという問題も有している。よって、筆記具、特にボールペンにおいて、書き味を向上させることは、解決すべき大きな課題である。
【０００３】
こうした課題を解決するため、筆記先端部と被筆記面との間、さらには、ボールとボール座との間の潤滑性を向上させることを目的として、様々な添加剤を用いた筆記具用油性インキ組成物が多数提案されている。（特許文献１〜４）
【０００４】
しかし、特許文献１〜４のような添加剤を用いた場合、筆記先端部と被筆記面との間、さらには、ボールとボール座との間に生じる抵抗をある程度低減することはできるが、十分に満足できるものではなく、書き味の更なる向上は改良の余地があった。
【０００５】
また、筆記具用油性インキ組成物を用いた筆記具では、筆記先端部が大気中に暫く晒された状態にあると、インキ中の溶媒などが蒸発し、着色剤や樹脂などが乾燥固化してしまい、書き出し時にボールの回転が阻害され、筆跡カスレが発生してしまうという問題も有しており、このような問題を解決し、書き出し性能を向上させることも望まれている。
中でも、軸筒内に筆記先端を収容可能な出没式筆記具は、常に筆記先端部が大気に晒されているため、上述のような書き出し性能に影響が出やすく、特に考慮する必要がある。
このため、ノック式ボールペンや回転繰り出し式ボールペン等の出没式ボールペンにおいては、潤滑性の向上による書き味の向上とともに、書き出し性能をも向上させることが、特に求められている。
【先行技術文献】
【特許文献】
【０００６】
【特許文献１】特開平５−３３１４０３号公報
【特許文献２】特開平７−１９６９７１号公報
【特許文献３】特開２００７−１７６９９５号公報
【特許文献４】特開２００８−８８２６４号公報
【発明の概要】
【発明が解決しようとする課題】
【０００７】
本発明の目的は、滑らかな書き味を奏しつつ、さらに、書き出し性能にも優れる筆記具用油性インキ組成物およびそれを用いた筆記具を提供することである。
【課題を解決するための手段】
【０００８】
本発明は、上記課題を解決するために、
「１．着色剤と、有機溶剤と、ライスオイルと、を含んでなることを特徴とする、筆記具用油性インキ組成物。
２．前記ライスオイルの脂質が、炭素数１６以上の脂肪酸を含んでなる、第１項に記載の筆記具用油性インキ組成物。
３．前記ライスオイルの含有率が、前記筆記具用油性インキ組成物の総質量を基準として、０．０５質量％〜１０質量％である、第１項または第２項に記載の筆記具用油性インキ組成物。
４．ポリビニルブチラール樹脂を更に含んでなる、第１項ないし第３項のいずれか１項に記載の筆記具用油性インキ組成物。
５．無機球状粒子を更に含んでなる、第１項ないし第４項のいずれか１項に記載の筆記具用油性インキ組成物。
６．第１項ないし第５項のいずれか１項に記載の筆記具用油性インキ組成物を収容してなることを特徴とする、筆記具。
７．インキ収容筒の先端部に、ボールを回転自在に抱持したチップ本体を有し、前記インキ収容筒内に第１項ないし第５項のいずれか１項に記載の筆記具用油性インキ組成物を収容してなることを特徴とする、油性ボールペン。」とする。
【発明の効果】
【０００９】
本発明によれば、筆記先端部と被筆記面との間（ボールペンの場合には、ボールとボール座との間も含む）の潤滑性を向上させ、滑らかな書き味を奏しつつ、筆記先端部が大気中に暫く放置された場合でも良好な筆跡を形成可能な、書き味、書き出し性能に優れた筆記具用油性インキ組成物およびそれを用いた筆記具を提供することができる。
【発明を実施するための形態】
【００１０】
以下、本発明の実施の形態について、詳細に説明する。なお、本明細書において、配合を示す「部」、「％」、「比」などは特に断らない限り質量基準であり、含有率とは、インキ組成物の質量を基準としたときの構成成分の質量％である。
【００１１】
＜筆記具用油性インキ組成物＞
本発明による筆記具用油性インキ組成物（以下、場合により、「インキ組成物」とも表す）は、着色剤と、有機溶剤と、ライスオイルと、を含んでなることを特徴とする。
【００１２】
以下、本発明のインキ組成物における構成成分について、詳細に説明する。
【００１３】
＜ライスオイル＞
本発明で用いられるライスオイルは、米に由来する植物油である。米糠または米胚芽などから抽出されるもので、米油とも呼ばれる。ライスオイルは、脂肪酸などの脂質を主成分とするものであるが、脂質以外にも、例えば、トコフェロール、トコトリエノール、γ−オリザノールやステロール等の成分を含んでいても良い。
【００１４】
ライスオイルは、優れた潤滑剤として効果的に働く。このため、ライスオイルを用いることで、筆記先端部と被筆記面との間、さらには、ボールとボール座との間の潤滑性を向上させることができ、滑らかな書き味を奏することができる。
これは、ライスオイルが、筆記先端（ボールペンの場合には、ボールとボール座）に吸着して、潤滑膜を形成し、筆記先端部と被筆記面との間に生じる筆記抵抗の上昇を抑えることができ、さらに、ボールペンに用いた場合、形成される潤滑膜によりボールがボール座上で円滑に回転することが可能となるためである。
また、ボールペンの場合、加工直後のボールペンチップは、ボールとチップ本体との馴染みが悪く、いわゆる「あたり」がある。このため、ガリガリとした筆記感が生じ、書き味に悪影響を及ぼしてしまうことがあった。しかし、ライスオイルを用いたインキ組成物は、ライスオイルにより、ボールとチップ本体とのなじみを良化し、これを維持することができ、ボールはがたつくことなく、良好に回転することができる。よって、ライスオイルを用いることで、このガリガリとした書き味不良がなくなり、優れた書き味を安定して得ることができる。
【００１５】
また、ライスオイルを用いると、筆記先端部が大気中に暫く放置された場合に形成される筆記先端の乾燥被膜を、容易に破壊できるようになる。これは、上述の通り、ライスオイルにより、筆記先端部の滑り性（ボールペンの場合は、ボールの回転性を含む）を向上できるためであり、さらに、ライスオイルにより、筆記先端に形成される乾燥皮膜を軟化させることができるためである。よって、筆記先端部が大気中に暫く放置されても、書き出し時の筆跡カスレは改善され、優れた書き出し性能を奏することができる。
以上より、ライスオイルを用いた本発明のインキ組成物は、滑らかな書き味を奏し、書き出し性能にも優れたものとなる。
【００１６】
また、ライスオイルは、上述の通り、ボールとボール座との間の潤滑性を向上させることができるため、ボール座の局部的な摩耗を抑えられる傾向にある。このため、筆記開始からインキ終了まで安定したインキ消費量が維持されやすく、筆跡濃淡の発生が抑制され、優れた筆記性をもたらすことができる。
【００１７】
ライスオイルは、米に由来する植物油であれば、特に限定されないが、米糠または米胚芽から抽出されるライスオイル（コメヌカ油、コメ胚芽油）であることが好ましく、特に優れた書き味と書き出し性能が得られやすいことから、コメヌカ油であることがより好ましい。
前述の通り、ライスオイルは脂質を主成分とするものであるが、本発明においては、ライスオイル全質量中の脂質の含有率が、６０質量％以上であるものが好ましく、７０質量％以上であるものがより好ましく、８０質量％以上であるものが更に好ましい。これは、ライスオイル全質量中の脂質の含有率が、６０質量％以上であれば、ライスオイルの純度が一定以上に保たれ、ライスオイルの潤滑効果を十分に得やすいためである。
前記脂質としては、例えば、炭素数６以上の脂肪酸が挙げられるが、本発明において、書き味、書き出し性能の向上を考慮すると、炭素数１６以上の脂肪酸が脂質として含んでなるライスオイルを用いることが好ましい。炭素数１６以上の脂肪酸としては、例えば、パルミチン酸、ステアリン酸、オレイン酸、リノール酸、リノレン酸、アラキジン酸、エイコセン酸等が挙げられる。
【００１８】
また、ライスオイルを構成する脂肪酸は、不飽和脂肪酸を含んでなることがさらに好ましい。これは、不飽和脂肪酸を含んでなることで、嵩高く、厚みのある安定的で効果的な潤滑膜を筆記先端（ボールペンの場合には、ボールとボール座）に形成しやすく、優れた潤滑性を安定的に得られやすいためと考える。
さらに、ライスオイルの潤滑効果を十分に得て、書き味の向上、書き出し性能の向上を考慮すると、ライスオイルの構成脂肪酸全質量中の炭素数１８の不飽和脂肪酸の含有率は、５０質量％以上であることが好ましく、６０質量％以上であることがより好ましく、７０％質量％以上であることがさらに好ましい。これは、炭素数１８の不飽和脂肪酸が、一定値以上含んでなることで、より嵩高く、厚みのある安定的で効果的な潤滑膜を筆記先端（ボールペンの場合には、ボールとボール座）に形成しやすく、優れた潤滑性を安定的に得られやすいためである。
また、ライスオイルの油性インキ組成物中における安定性を考慮すると、ライスオイルの構成脂肪酸全質量中における炭素数１８の不飽和脂肪酸の含有率は、９０質量％以下であることが好ましく、８５質量％以下であることがより好ましい。
前記炭素数１８の不飽和脂肪酸としては、オレイン酸、リノール酸、リノレン酸を含んでなることが好ましい。
ライスオイルの構成脂肪酸全質量中におけるオレイン酸の含有率は、３５質量％〜５５質量％であることが好ましく、４０質量％〜５０質量％であることがより好ましい。これは、オレイン酸の含有率が上記数値範囲内であると、ライスオイルにより得られる潤滑膜が好適となり、より優れた書き味と、書き出し性能が得られるためである。
また、ライスオイルの構成脂肪酸全質量中におけるリノール酸の含有率は、２５質量％〜４５質量％であることが好ましく、３０質量％〜４０質量％であることがより好ましい。これは、リノール酸の含有率が上記数値範囲内であると、ライスオイルにより得られる潤滑膜が好適となり、より優れた書き味と、書き出し性能が得られるためである。
さらに、インキ経時安定性、書き味と書き出し性能の向上を考慮すると、ライスオイルの構成脂肪酸全質量中におけるオレイン酸とリノール酸の含有比（オレイン酸の含有量／リノール酸の含有量）は、質量基準で、１．０〜１．５であることが好ましく、１．１〜１．３であることがより好ましい。
また、ライスオイルの構成脂肪酸全質量中におけるパルミチン酸の含有率は、５質量％〜２０質量％であることが好ましく、１０質量％〜１８質量％であることがより好ましい。パルミチン酸の含有率が上記数値範囲内であると、ライスオイルがもたらす潤滑効果や筆記先端に形成される乾燥被膜の軟化効果がバランス良く得られやすい。
【００１９】
また、本発明において、ライスオイルは、γ−オリザノール、トコトリエノール、トコフェロールの少なくとも一つを更に含んで構成されてなることが好ましく、トコトリエノール、トコフェロールの少なくとも一つを更に含んで構成されてなることがより好ましい。これは、ライスオイルの潤滑性向上効果を経時的に安定して得ることが可能となるためである。
【００２０】
また、本発明においては、ライスオイル全質量中における不けん化物の含有率が、１質量％〜１０質量％であるライスオイルを用いることが好ましい。これは、不けん化物の含有率が上記数値範囲内であるライスオイルを用いることで、ライスオイルの潤滑性向上効果が経時的に安定して得られやすく、また、インキ経時安定性をより向上できるためであり、さらに上記効果の向上を考慮すると、２質量％〜５質量％であることがより好ましい。
尚、不けん化物とは、通常、ステロール、トコフェロール、炭水化物、グリセリン、高級アルコール等のアルカリでけん化されない物質のことであり、不けん化物の含有量は、例えば、日本油化学協会の基準油脂分析試験法の不けん化物測定法（２．４．８−１９９６）に準じて測定することができる。
【００２１】
また、本発明に用いられるライスオイルのけん化価は、１００〜２５０であることが好ましく、１５０〜２２０であることがより好ましく、１６０〜２１０であることが特に好ましい。ライスオイルのけん化価が上記数値範囲内であれば、ライスオイルがもたらす潤滑効果および、筆記先端に形成される乾燥被膜の軟化効果を十分に得て、書き味、書き出し性能が更に向上しやすいためである。
また、ライスオイルの酸価は、０〜１であることが好ましく、０〜０．５であることがより好ましい。これは、酸価が上記数値範囲内であるライスオイルを用いることは、インキ成分との影響が生じにくく、インキの経時安定性が得られやすいためである。尚、本発明における酸価は、試料１ｇ中に含まれる酸性成分（遊離脂肪酸）を中和するのに要する水酸化カリウムのｍｇ数で表すものとする。
また、ライスオイルのヨウ素価は、５０〜２００であることが好ましく、８０〜１５０であることがより好ましい。これは、ヨウ素価が上記数値範囲内であるライスオイルを用いることは、ライスオイルの潤滑効果が得られやすく、書き味、書き出し性能が向上しやすいためである。
【００２２】
本発明における、ライスオイルの含有率は、インキ組成物の総質量を基準として、０．０５〜１０質量％であることが好ましく、０．１〜５質量％であることがより好ましい。ライスオイルの含有率が上記数値範囲内であれば、インキの経時安定性に影響を与えることなく、ライスオイルの潤滑効果や筆記先端に形成される乾燥被膜の軟化効果を十分に得て、優れた書き味と、優れた書き出し性能を得ることができる。さらに、上記効果の向上を考慮すると、０．２〜２質量％であることが好ましい。
尚、ライスオイルは、１種または２種以上の混合物として使用することが可能である。
【００２３】
ライスオイルの市販品の一例としては、例えば、ボーソー油脂(株)製のライスオイルＢ−１、築野食品工業(株)製の米油（コメサラダ油）、米胚芽油（ＰＲＯ−１５）などが挙げられる。
【００２４】
＜着色剤＞
本発明に用いる着色剤は、染料、顔料等、特に限定されるものではなく、適宜選択して使用することができ、染料と顔料を併用しても良い。
【００２５】
染料としては、油溶性染料、酸性染料、塩基性染料、含金染料などや、それらの各種造塩タイプの染料等として、酸性染料と塩基性染料との造塩染料、塩基性染料と有機酸との造塩染料、酸性染料と有機アミンとの造塩染料などの種類が挙げられる。これらの染料は、単独又は２種以上組み合わせて使用してもかまわない。
【００２６】
染料について、具体的には、バリファーストブラック１８０２、バリファーストブラック１８０５、バリファーストブラック１８０７、バリファーストバイオレット１７０１、バリファーストバイオレット１７０４、バリファーストバイオレット１７０５、バリファーストブルー１６０１、バリファーストブルー１６０５、バリファーストブルー１６１３、バリファーストブルー１６２１、バリファーストブルー１６３１、バリファーストレッド１３２０、バリファーストレッド１３５５、バリファーストレッド１３６０、バリファーストイエロー１１０１、バリファーストイエロー１１５１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＶＢ−Ｂ、ＢＡＳＥ  ＯＦ  ＢＡＳＩＣ  ＤＹＥＳ  ＭＶＢ−３（以上、オリヱント化学工業（株）製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッド  Ｃ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ．ブルー１１１、Ｓ．Ｐ．Ｔ．ブルーＧＬＳＨ−スペシャル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５３０、Ｓ．Ｒ．Ｃ−ＢＨ（以上、保土谷化学工業（株）製）等が挙げられる。
【００２７】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ジケトピロロピロール系、キノフタロン系、スレン系、トリフェニルメタン系、ペリノン系、ペリレン系、ジオキサジン系、メタリック顔料、パール顔料、蛍光顔料、蓄光顔料、コレステリック液晶顔料等が挙げられる。
【００２８】
本発明において、着色剤として染料を用いる場合、潤滑性の向上とライスオイルとの相性によるインキ経時安定性を考慮すると、少なくとも造塩染料を用いることが好ましい。さらに造塩結合が安定していることで経時安定性を保てることを考慮すれば、塩基性染料と有機酸との造塩染料、酸性染料と塩基性染料との造塩染料、酸性染料と有機アミンとの造塩染料の中から用いることが好ましい。
前記造塩染料の中でも、ライスオイルによる潤滑性の向上を考慮すれば、塩基性染料と有機酸との造塩染料が好ましい。さらには、造塩染料を構成する有機酸については、フェニルスルホン基を有する有機酸であれば、金属に吸着し易い潤滑膜を形成しやすいことから、ボールペンに用いた場合、特に潤滑性が向上しやすく、ボール座の摩耗抑制や書き味を良好とするため好ましい。具体的には、アルキルベンゼンスルホン酸、ナフタレンスルホン酸、ナフタレンスルホン酸−ホルムアルデヒド縮合物、アルキルジフェニルエーテルジスルホン酸、ポリオキシエチレンアルキルフェニルエーテルリン酸が挙げられる。また、インキ中での長期安定性を考慮すれば、有機酸として、アルキルベンゼンスルホン酸を用いることが好ましい。
【００２９】
また、本発明において、書き味の更なる向上を考慮すれば、顔料を用いることが好ましい。これは、ボールとボール座の隙間に顔料粒子が入り込むことで、ベアリングのような作用が働きやすく、また、ボールとボール座との接触を抑制しやすく、ボールとボール座との間の潤滑性が向上して、書き味の向上効果が得られやすいためである。よって、本発明において、顔料を用いることは、顔料とライスオイルとの相乗効果により、潤滑性がより一層、高められるため、効果的である。また、顔料を用いることで、耐水性、耐光性に優れ、良好な発色を有する筆跡を得ることができるため、この点からも、効果的である。
【００３０】
着色剤の含有率は、インキ組成物の総質量を基準として、１〜４５質量％であることが好ましい。これは、１質量％以上であれば、濃く、発色良好な筆跡が得られすい傾向にあり、４５質量％以下であれば、インキ中での溶解性や分散性に影響を与え難い傾向にあるためであり、これらの傾向をより考慮すれば、３〜３５質量％であることがより好ましい。
【００３１】
＜有機溶剤＞
本発明に用いる有機溶剤としては、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等のグリコールエーテル溶剤、ジエチレングリコール、トリエチレングリコール、ポリエチレングリコール、プロピレングリコール、ジプロピレングリコール、ブチレングリコール、エチレングリコール等のグリコール溶剤、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール溶剤など、筆記具用インキ組成物として一般的に用いられる有機溶剤が例示できる。
【００３２】
これらの有機溶剤の中でも、ライスオイルの溶解性を考慮すると、非水溶性有機溶剤を用いることが好ましい。ライスオイルは、非水溶性有機溶剤に対する溶解性に優れていることから、ライスオイルの潤滑効果や筆記先端に形成される乾燥被膜の軟化効果を、長期に安定的に得やすいためである。特に、ライスオイルは、非水溶性有機溶剤に十分に溶解することで、筆記先端（ボールペンの場合には、ボールとボール座）全体にライスオイルが十分なじみ、潤滑膜を形成しやすくなるため、筆記先端部の滑り性（ボールペンの場合は、ボールの回転性を含む）がより向上して、滑らかな書き味と、優れた書き出し性能をもたらすことができる。
【００３３】
また、本発明においては、有機溶剤の中でも、アルコール溶剤を用いることが好ましい。これは、アルコール溶剤はライスオイルを溶解安定化しやすく、長期間、優れたインキ経時安定性が得られやすく、さらに、長期に亘って、滑らかな書き味と、優れた書き出し性能をもたらすことができるためである。また、アルコ−ル溶剤は揮発して、筆記先端での乾燥を促進しやすくし、筆記先端部内（チップ先端部内）をより早く増粘させることで、筆記先端部の間隙からインキが漏れ出すことを抑制できることからも、好適に用いられる。さらに、芳香環を有すると、潤滑性も向上しやすいため、ライスオイルの潤滑効果との相乗的な潤滑性の向上を考慮すると、ベンジルアルコールなどの芳香族アルコール溶剤を用いることが好ましい。
また、アルコール溶剤以外の有機溶剤としては、グリコールエーテル溶剤を用いることが好ましい。これは、グリコールエーテル溶剤は吸湿性能を有することから、筆記先端部が乾燥したときに形成する被膜の強度を軟化させる効果も有しており、ライスオイルとの相乗効果により、書き出し性能がより向上しやすいためである。ライスオイルの溶解性、インキの経時安定性を考慮すれば、芳香族グリコールエーテル溶剤を用いることがさらに好ましい。
よって、本発明において、グリコールエーテル溶剤とアルコ−ル溶剤を併用することが特に好ましく、芳香族グリコールエーテル溶剤と、芳香族アルコール溶剤を併用することが、最も好ましい。
【００３４】
有機溶剤の含有率は、ライスオイルの溶解性、また、得られる筆跡の乾燥性やにじみ抑制等の向上を考慮すると、インキ組成物の総質量を基準として、１０〜９０質量％であることが好ましく、さらに、筆記先端での乾燥性を考慮すれば、２０〜９０質量％であることが好ましく、４０〜７０質量％であることがより好ましい。
【００３５】
＜樹脂＞
また、本発明において、樹脂をインキ粘度調整剤などとして、更に含んでなることが好ましい。本発明において、好ましく用いられる樹脂としては、ポリビニルブチラール樹脂、ケトン樹脂、ポリアセタール樹脂、ポリビニルアルコール樹脂、セルロース樹脂、テルペン樹脂、アルキッド樹脂、フェノキシ樹脂、ポリ酢酸ビニル樹脂などが挙げられるが、その中でも、ポリビニルブチラール樹脂またはケトン樹脂を用いることが好ましい。
【００３６】
中でも、本発明においては、ポリビニルブチラール樹脂を用いることが好ましい。
これは、ポリビニルブチラ−ル樹脂も、高い潤滑効果が得られる潤滑層を形成しやすいもので、ライスオイルが形成する潤滑膜との相乗効果により、さらに高い潤滑効果が得られ、書き味をより一層向上できるためである。
特に、ボールペンに用いる場合に効果的で、ボールとボール座との間に、弾力を有するインキ層を形成してボールとボール座との間の直接接触を抑制して、書き味をより一層向上できる。
さらに、ポリビニルブチラール樹脂を用いることは、筆記先端に形成される被膜により、筆記先端からのインキ漏れを抑制しやすく、この点からも効果的である。
また、前述の通り、ライスオイルは筆記先端に形成される乾燥被膜を軟化させ、書き出し性能を向上させることができるが、この被膜の軟化効果は、ポリビニルブチラール樹脂を用いた場合、特に効果的に得られる。よって、本発明において、ポリビニルブチラール樹脂を用いることは、書き出し性能をも、より一層向上できるため、効果的である。
以上より、本発明において、ポリビニルブチラール樹脂は、書き味、書き出し性能を向上させ、さらにインキ漏れも抑制できるため、好適に用いられる。また、着色剤として顔料を用いる場合、ポリビニルブチラール樹脂は、顔料分散効果も得られるため、この点からもポリビニルブチラール樹脂は好適に用いられる。
なお、ポリビニルブチラール樹脂は、ポリビニルアルコール（ＰＶＡ）をブチルアルデヒド（ＢＡ）と反応させたものであり、ブチラール基、アセチル基、水酸基を有した構造である。 
【００３７】
また、ポリビニルブチラール樹脂は、水酸基量２５ｍｏｌ％以上とすることが好ましい。これは、水酸基量２５ｍｏｌ％以上のポリビニルブチラール樹脂であれば、有機溶剤への溶解性が良好で、十分な潤滑効果やインキ漏れ抑制効果が得られやすいためである。また、吸湿性による被膜の軟化効果による書き出し性能の向上という点からも、水酸基量２５ｍｏｌ％以上のポリビニルブチラール樹脂を用いることが好ましい。
さらに、水酸基量３０ｍｏｌ％以上のポリビニルブチラール樹脂を用いることは、書き味が向上しやすくなるため、好ましく、特に、ボールペンに用いる場合、効果的である。これは、筆記時において、ボールの回転により摩擦熱が発生することで、ボールペンチップ先端部のインキが温められて、該インキの温度が高くなるが、ポリビニルブチラール樹脂を用いた場合、他の樹脂に比べ、インキ温度が上昇しても、インキ粘度が下がりづらい傾向にあることから、ボールとボール座との間に常に弾力のあるインキ層が形成され、ボールとボール座の直接接触が抑制され、書き味が向上しやすい傾向があるためである。また、水酸基量４０ｍｏｌ％を越えるポリビニルブチラール樹脂を用いると、吸湿量が多くなりやすく、インキ成分との経時安定性に影響が出やすいため、水酸基量４０ｍｏｌ％以下のポリビニルブチラール樹脂を用いることが好ましい。よって、本発明において、水酸基量３０〜４０ｍｏｌ％のポリビニルブチラール樹脂を用いることがより好ましく、さらには、水酸基量３０〜３６ｍｏｌ％であるポリビニルブチラール樹脂を用いることが好ましい。
なお、ポリビニルブチラール樹脂の水酸基量（ｍｏｌ％）とは、ブチラール基（ｍｏｌ％）、アセチル基（ｍｏｌ％）、水酸基（ｍｏｌ％）の全ｍｏｌ量に対して、水酸基（ｍｏｌ％）の含有率を示すものである。
【００３８】
また、ポリビニルブチラール樹脂の平均重合度は、２００〜２５００であることが好ましい。これは、平均重合度が２００以上であると、インキ漏れ抑制性能が向上しやすく、また、平均重合度が２５００以下であれば、インキ粘度の上昇を抑え、良好な書き味が得られやすい傾向にあるためである。さらに、上記効果の向上を考慮すれば、ポリビニルブチラール樹脂の平均重合度は１５００以下であることがより好ましく、ライスオイルとの相乗効果による潤滑性の向上を考慮すれば、平均重合度は、２００〜１０００であることが特に好ましい。ここで、平均重合度とは、ポリビニルブチラール樹脂の１分子を構成している基本単位の数をいい、ＪＩＳＫ６７２８（２００１年度版）に規定された方法に基づいて測定された値を採用可能である。
【００３９】
ポリビニルブチラール樹脂の含有率は、インキ組成物中の樹脂の総質量に対して７０％以上とし、主たる樹脂として用いることが好ましい。これは、ポリビニルブチラール樹脂の含有率がインキ組成物中の樹脂の総質量に対し、７０％未満となると、その他の樹脂によって、弾力のある潤滑層をボールとボール座の間に形成することが阻害されやすく、書き味の向上効果が得られ難くなり、さらに、筆記先端部の樹脂被膜形成も阻害されやすくなって、インキ漏れを抑制し難くなるためである。また、書き味やインキ漏れ抑制効果の更なる向上を考慮すれば、ポリビニルブチラール樹脂の含有率は、インキ組成物中の樹脂の総質量に対して９０％以上となることが好ましい。
【００４０】
ポリビニルブチラール樹脂の含有率は、インキ組成物の総質量を基準として、１〜４０質量％であることが好ましい。１質量％以上であれば、所望の潤滑効果およびインキ漏れ抑制効果が十分に得られやすく、４０質量％以下であればインキ中での溶解性が安定しているため、ポリビニルブチラール樹脂がもたらす効果を得やすいためである。さらに、上記効果の向上を考慮すれば、３質量％以上であることが好ましく、また、３０質量％を越えると、インキ粘度が高くなりすぎて書き味に影響を及ぼす傾向にあるため、３〜３０質量％であることが好ましく、より考慮すれば、３〜２５質量％が好ましく、３〜１５質量％であることがより好ましく、３〜１０質量％であることがさらに好ましい。
【００４１】
ポリビニルブチラール樹脂については、具体的には、積水化学工業（株）製のエスレックシリーズなどが挙げられる。これらは、単独又は２種以上混合して使用してもよい。
【００４２】
ポリビニルブチラール樹脂以外の樹脂として、曳糸性付与剤を適宜用いてもよい。特に、ポリビニルピロリドン樹脂を配合することで、インキの結着性を高め、筆記先端における余剰インキの発生を抑制しやすいため、ポリビニルピロリドン樹脂を含有することが好ましい。
ポリビニルピロリドン樹脂の含有率は、インキ組成物の総質量を基準として、０．０１質量％より少ないと、余剰インキの発生を抑制しにくい傾向があり、３質量％を越えると、インキ中で溶解性が劣りやすい傾向があるため、０．０１〜３質量％が好ましい。より上記理由を考慮すれば、０．１〜２質量％がより好ましい。
ポリビニルピロリドン樹脂としては、具体的には、アイエスピー・ジャパン（株）製のＰＶＰ  Ｋ−１５、ＰＶＰ  Ｋ−３０、ＰＶＰ  Ｋ−９０、ＰＶＰ  Ｋ−１２０などが挙げられる。これらは、単独又は２種以上混合して使用してもよい。
【００４３】
＜界面活性剤＞
本発明において、潤滑性の向上や、筆記先端部を大気中に放置し、筆記先端部が乾燥したときの書き出し性能の更なる向上を考慮すると、界面活性剤を更に含んでなることが好ましい。界面活性剤としては、シリコーン系界面活性剤、フッ素系界面活性剤、リン酸エステル系界面活性剤などが挙げられる。その中でも、潤滑性の向上および書き出し性能の向上を考慮すれば、シリコーン系界面活性剤、リン酸エステル系界面活性剤の中から１種以上を用いることが好ましい。
さらに、筆記先端（ボールペンの場合には、ボールとボール座も含む）の潤滑性を向上し、書き味の更なる向上を考慮すれば、リン酸エステル系界面活性剤を更に用いることが好ましい。これは、リン酸エステル系界面活性剤の潤滑効果とライスオイルとの潤滑効果の相互作用により、書き味をより一層向上させることができるためである。
また、リン酸エステル系界面活性剤は、リン酸基を有することから、特に金属表面に吸着しやすく、よって、特に、ボールとボール座との間に潤滑膜を形成して潤滑性を向上し、書き味を良化させることができる。また、ライスオイルも、多くの脂肪酸により構成されているため、脂肪酸のカルボキシル基が金属表面に吸着しやすく、潤滑性を向上させやすい。よって、リン酸エステル系界面活性剤とライスオイルを用いることは、両者が形成する潤滑膜により、相乗的に、ボールとボール座の間の潤滑性をより一層向上させることができ、滑らかな書き味をもたらす。このため、本発明において、リン酸エステル系界面活性剤とライスオイルを併用することは効果的で、特に、本発明のインキ組成物をボールペンに用いた場合、特に有効である。
さらに、本発明において、ポリビニルブチラール樹脂を用いる場合、リン酸エステル系界面活性剤を用いることは、ポリビニルブチラール樹脂による潤滑層と、リン酸エステステル系界面活性剤による潤滑膜により、より一層、潤滑性を向上しやすく、効果的である。
また、前述の通り、顔料を用いることで、ボールとボール座との接触を抑制し、ボールとボール座との間の潤滑性を向上できる。このため、ライスオイルを含んでなる本発明において、顔料と、ポリビニルブチラール樹脂と、リン酸エステル系界面活性剤と、を用いることは、特段の優れた潤滑効果が得られやすく、よって、更に優れた書き味と、書き出し性能が得られるため、より効果的である。
【００４４】
リン酸エステル系界面活性剤において、書き味と書き出し性能との両方をより向上させることを考慮すれば、ＨＬＢ値が６〜１４であることが好ましい。これは、ＨＬＢ値が１４を越えると親水性が強くなるため、油性インキ中での溶解性が劣りやすくなり、リン酸エステル系界面活性剤の効果が得られにくく、特に、潤滑効果が得られにくいためである。また、ＨＬＢ値が６未満だと、親油性が強くなり過ぎて、有機溶剤との相溶性に影響が出やすく、インキ経時安定性が得られにくく、さらに書き出し性能が向上しにくいためである。さらに、潤滑性を向上させ、より優れた書き味を得ることを考慮れば、ＨＬＢ値が１２以下にすることが好ましく、ＨＬＢ値が６〜１２であることが好ましく、書き出し性能の更なる向上を考慮すれば、ＨＬＢ値が７〜１２が好ましい。
尚、ＨＬＢは、グリフィン法、川上法などから求めることができる。特に、ノック式筆
記具や回転繰り出し式筆記具等の出没式筆記具においては、キャップ式筆記具とは異なり、常時、筆記先端部が外部に露出した状態となるため、筆記先端部の乾燥時における書き出し性能が影響を受けやすいことから、上記ＨＬＢ値としたリン酸エステル系界面活性剤を用いることはより好ましい。
【００４５】
リン酸エステル系界面活性剤としては、例えば、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられる。
【００４６】
＜無機球状粒子＞
また、本発明のインキ組成物をボールペンに用いる場合、無機球状粒子をさらに含んでなることが好ましい。ここで、無機球状粒子とは、無機化合物の球状粒子であり、球状とは、球状に近い形状の略球状も含むものとする。
前記無機球状粒子は、潤滑剤として効果的に働き、ボールとボール座との摩擦を緩和させ、潤滑性を向上して滑らかな書き味を奏することができる。また、前述の通り、ボールペンの場合には、加工直後のボールペンチップには、ボールとチップ本体とのなじみが悪く、いわゆる「あたり」があり、ガリガリとした筆記感が生じて、筆記抵抗（摩擦抵抗）が大きくなり、書き味に悪影響を及ぼしてしまうことがある。しかし、球状で、かつ、適度な硬度を有する無機球状粒子を用いると、ボールとボール座との接触面のなじみを良化することができ、ボールがボール座との接触する際に、接触面がほぼ同一曲面状に接するようになって、筆記抵抗（摩擦抵抗）が低減し、この状態を維持し続けることができるようになる。このため、ボールはがたつくことなく良好に回転し続けられ、さらに、無機球状粒子は、ベアリング剤としても効果的に働くことができるため、無機球状粒子を用いることで、上述のようなガリガリとした書き味不良をなくすとともに、優れた書き味を安定して得ることができる。
よって、ライスオイルを含んでなる本発明において、更に無機球状粒子を添加することは、ライスオイルとの併用による潤滑剤としての相乗効果が得られ、より一層の滑らかな書き味が得られるとともに、ボールとチップ本体とのなじみ良化とその維持が可能となって、ガリガリとした書き味不良もなくなり、さらに、より優れた書き味を維持できるため、効果的である。
【００４７】
また、無機球状粒子は、略真球状であるものがより好ましい。
略真球状であると、ボールとボール座の間をインキが通過する際に列をなすように隙間に並び、ベアリング効果を生じやすくなる。このため、ボールとチップ本体が馴染んだ後、すなわちボールとボール座の隙間が一定になった後は、急激に筆記抵抗（動摩擦係数）を低減させ、かつ安定的な潤滑性を示すようになる。
さらに、ボールとボール座の隙間が一定の等間隔に近くなると接触面積が増大するなどして、ボール受け座が摩耗しやすくなることがあり、通常のインキを使用した場合には、耐摩耗性が悪化することがある。しかし、ボールとボール座の隙間に球状粒子を介在させると、ボールとボール座が直接的に接触することが抑制されるため、良好なボール座の耐摩耗性を示すようになるのだが、この効果は、略真球状であることで、より一層、得られやすい。つまり、略真球状の無機球状粒子は、研磨剤としてボールとボール座の隙間を一定にし、筆記抵抗（動摩擦係数）を低下させやすい上、ボールとボール座の隙間を一定にした後は、研磨剤とは全く逆の効果であるベアリング剤（潤滑効果）としても作用しやすく、抵抗（動摩擦係数）を低下させるとともに、ボール座の耐摩耗性をより一層、向上できるのである。さらに、この効果は、ライスオイルが共存すると、効率的に得ることができる。このため、本発明のインキにおいて、略真球状の無機球状粒子を更に含んでなることは好適であり、効果的であるといえる。
なお、略真球状とは、真球あるいは真球に近い球状とする。
【００４８】
本発明における無機球状粒子は、無機化合物の球状粒子であり、例えば、シリカ、ジルコニア、アルミナ、フェライト、酸化チタン、酸化亜鉛、酸化マグネシウム、チタン酸バリウムなどの球状粒子が挙げられる。
本発明においては、無機化合物の球状粒子であれば特に限定されないが、ライスオイルとの併用による潤滑剤としての相乗効果によっておこる書き味の向上と、その安定性を考慮すると、シリカの球状粒子、フェライトの球状粒子を用いることが好ましい。さらに上記効果の向上を考慮すると、フェライトの球状粒子（フェライト球状粒子）を用いることがより好ましい。
また、フェライト球状粒子は磁性を示す性質を有しており、金属材料に対して吸着性を示すため、ボールペンチップを金属材料とした場合には、ボールとボール座の隙間に吸着しやすい傾向にある。このため、フェライトの球状粒子は、該隙間に列をなすように並んで残存しやすく、ベアリング効果が得られやすい。よって、フェライト球状粒子を用いることは、筆記抵抗（動摩擦係数）を低減させ、かつ安定的な潤滑性が得られやすいため、この点からも、より好適であるといえる。
また、前述のとおり、フェライト球状粒子は磁性を有していることから、金属材料であるボールとボール座の隙間に吸着し、該隙間にフェライト球状粒子が残存しやすい傾向にある。このため、ボールとボール座の金属摩擦が緩和されやすく、よって、書き味を良好すると同時に、高い筆圧下（筆記荷重３００ｇｆ〜５００ｇｆ）においてもボール座の摩耗を抑制する効果（高筆圧下耐摩耗性能）が得られやすい。特に、近年のボールペン用油性インキは、書き味を良好とするため、インキの低粘度化が進んでおり、高筆圧下で筆記する場合、ボール座の摩耗が進みやすく、高筆圧下耐摩耗性能に影響が出やすいため、フェライト球状粒子は、好適に用いることができる。以上より、本発明において、磁性を示さない他の材料と比べると、磁性を有するフェライト球状粒子を用いることは、特に効果的であり、さらに、フェライト球状粒子は略真球状あることで、より優れた高筆圧下耐摩耗性能が得られやすいため、より一層、効果的である。
【００４９】
フェライトとは、酸化鉄（Ｆｅ２Ｏ３）を主成分とする磁性を示すセラミックスの総称であるが、本発明においては、フェライト球状粒子のフェライトの成分としては、酸化鉄（Ｆｅ２Ｏ３）以外の金属酸化物を含んでなることが好ましく、遷移金属、アルカリ土類金属、希土類の中から１種以上含有する金属酸化物を含んでなることが好ましい。これは、フェライトの成分が、遷移金属、アルカリ土類金属、希土類の中から１種以上含有する金属酸化物を含んでなることで、適度の硬さを有するフェライト球状粒子となるため、ボールとボール座との接触面のなじみを良化しやすく、また、ベアリング効果が得られやすく、優れた書き味、さらにはボール座の摩耗抑制効果が得られやすいためである。さらに、ライスオイルとの相乗効果による上記効果の向上を考慮すれば、遷移金属、アルカリ土類の中から１種以上含有する金属酸化物を含んでなることが好ましく、遷移金属を少なくとも含んでなる金属酸化物を含んでなるフェライトを用いることが特に好ましい。
【００５０】
遷移金属、アルカリ土類金属、希土類の中から１種以上含有する金属酸化物を含んでなるフェライトとしては、例えば、スピネル型フェライト（遷移金属含有）としては、ＭｅＯ・Ｆｅ２Ｏ３、Ｍｅ・Ｆｅ２Ｏ４の化学式（Ｍｅ：遷移金属）で示されるものとして、ＭｎＯ・Ｆｅ２Ｏ３、Ｍｎ・Ｆｅ２Ｏ４、ＭｇＯ・Ｆｅ２Ｏ３、Ｍｇ・Ｆｅ２Ｏ４、ＺｎＯ・Ｆｅ２Ｏ３、Ｚｎ・Ｆｅ２Ｏ４、ＮｉＯ・Ｆｅ２Ｏ３、Ｎｉ・Ｆｅ２Ｏ４、ＣｕＯ・Ｆｅ２Ｏ３、Ｃｕ・Ｆｅ２Ｏ４、ＣｏＯ・Ｆｅ２Ｏ３、Ｃｏ・Ｆｅ２Ｏ４などが挙げられ、マグネトプランバイト型フェライト（アルカリ土類金属含有）としては、ＭＯ・６Ｆｅ２Ｏ３、Ｍ・Ｆｅ１２Ｏ１９の化学式（Ｍ：アルカリ土類金属）で示されるものとして、ＳｒＯ・６Ｆｅ２Ｏ３、Ｓｒ・Ｆｅ１２Ｏ１９、ＢａＯ・６Ｆｅ２Ｏ３、Ｂａ・Ｆｅ１２Ｏ１９などが挙げられ、ガーネット型フェライト（希土類含有）としては、３Ｒ２Ｏ３・５Ｆｅ２Ｏ３、Ｒ３Ｆｅ５Ｏ１２の化学式（Ｒ：希土類）で示されるものとして、３Ｙ２Ｏ３・５Ｆｅ２Ｏ３、Ｙ３Ｆｅ５Ｏ１２、３ＳｍＯ３・５Ｆｅ２Ｏ３、Ｓｍ３Ｆｅ５Ｏ１２、３ＧｄＯ３・５Ｆｅ２Ｏ３、Ｇｄ３Ｆｅ５Ｏ１２などが挙げられる。
これらのフェライトの中でも、適度の硬さを有することで、ベアリング効果が得られやすく、優れた書き味や、高筆圧下（筆記荷重３００ｇｆ〜５００ｇｆ）においてもボール座の摩耗を抑制する効果（高筆圧下耐摩耗性能）を考慮すれば、少なくともスピネル型フェライト（遷移金属含有）を含んでなることが好ましい
さらに、スピネル型フェライト（遷移金属含有）の中でも、適度の硬さを有することで、よりベアリング効果が得られやすくするため、ＭｎまたはＭｇを含有したスピネル型フェライト（遷移金属含有）を用いることが好ましい。
また、フェライトの成分は、前記金属酸化物の中から２種以上選択して複合化合物とした複合フェライトとすることが好ましく、さらに、スピネル型フェライト、マグネトプランバイト型フェライト、ガーネット型フェライトの中から２種以上選択して複合化合物とした複合フェライトとすることが好ましい。
さらに、ベアリング効果を得られやすくして、より優れた書き味や、高筆圧下（筆記荷重３００ｇｆ〜５００ｇｆ）における潤滑性を保ち、ボール座の摩耗を抑制（高筆圧下耐摩耗性能）することを考慮すれば、前記フェライト成分中のスピネル型フェライト（遷移金属含有）は、フェライト成分全量に対して、５０％以上含有して、主要フェライト成分とすることが好ましく、より考慮すれば、フェライト成分全量に対して、７０％以上含有することが好ましく、さらに８０％以上含有することが好ましい。
さらに、フェライトの硬さを考慮すると、マグネトプランバイト型フェライト（アルカリ土類金属含有）を、フェライト成分全量に対して、１〜１５％含有することが好ましく、より考慮すれば、２〜８％が好ましく、スピネル型フェライトと、マグネトプランバイト型フェライトとの複合フェライトとすることが好ましい。
【００５１】
無機球状粒子の平均粒子径は、１ｎｍ〜２００ｎｍとすることが好ましい。より好ましくは、１０ｎｍ〜１００ｎｍであり、さらに好ましくは、２０ｎｍ〜８０ｎｍである。これは、無機球状粒子の平均粒子径が上記数値範囲内であると、ボールとボール座の隙間に入り込み、ベアリング効果が得られやすく、また、無機球状粒子の介在により、ボールとボール座が直接的に接触するのを抑制しやすいためであり、優れた書き味と、耐摩耗性の効果を得やすい。
平均粒子径については、ＦＥ−ＳＥＭ（日立ハイテクノロジーズ社製ＳＵ−８０２０）にて、倍率２０００００倍にて総計１００粒子以上カウント出来るように視野を変えて撮影する。その後、撮影したＳＥＭ画像をスキャナーで読み込み、メディアサイバネティクス（ＭＥＤＩＡ ＣＹＢＥＲＮＥＴＩＣＳ）社画像解析ソフト「Ｉｍａｇｅ−Ｐｒｏ ＰＬＵＳ」を用いて画像解析を行い、マニュアル測定によって、水平フェレ径を計測し、平均したものを平均粒子径とした。
【００５２】
また、無機球状粒子の含有率は、インキ組成物の総質量を基準として、０．１〜１０質量％であることが好ましい。これは、０．１質量％以上であれば、所望の潤滑性が得られやすく、１０質量％以下であれば、インキ中での分散安定性が得られ、優れたインキ経時安定性を奏しやすい。これらの傾向を考慮すれば、０．１〜５質量％が好ましく、より考慮すれば、０．３〜３質量％が好ましい。
【００５３】
＜有機アミン＞
また、本発明では、インキ中でのインキ成分の安定性を考慮すれば、有機アミンを用いることが好ましい。オキシエチレンアルキルアミン、ポリオキシエチレンアルキルアミン等のエチレンオキシドを有するアミンや、ラウリルアミン、ステアリルアミン等のアルキルアミンや、ジステアリルアミン、ジメチルラウリルアミン、ジメチルステアリルアミン、ジメチルオクチルアミン等のジメチルアルキルアミン等の脂肪族アミンが挙げられ、その中でも、インキ中での安定性を考慮すれば、エチレンオキシドを有するアミン、ジメチルアルキルアミンが好ましく、さらに考慮すれば、エチレオキシドを有するアミンが好ましい。
【００５４】
また、その他添加剤として、脂肪酸アマイド、水添ヒマシ油などの擬塑性付与剤を、また、着色剤安定剤、可塑剤、キレート剤、水などを適宜用いても良い。これらは、単独又は２種以上組み合わせて使用してもかまわない。
【００５５】
本発明の筆記具用油性インキ組成物のインキ粘度は、特に限定されるものではないが、２０℃、剪断速度５ｓｅｃ−１（静止時）におけるインキ粘度が５００００ｍＰａ・ｓを越えると、書き出し性能や書き味が劣りやすいため、２０℃、剪断速度５ｓｅｃ−１（静止時）におけるインキ粘度は、５００００ｍＰａ・ｓ以下であることが好ましい。また、２０℃、剪断速度５ｓｅｃ−１（静止時）におけるインキ粘度が２０００ｍＰａ・ｓ未満だと、インキ漏れを抑制しにくいため、２０００ｍＰａ・ｓ以上とすることが好ましい。インキ漏れ抑制、書き味、インキ追従性能、書き出し性能をより向上することを考慮すれば、インキ粘度は２０００〜３５０００ｍＰａ・ｓがより好ましく、さらに、書き味、書き出し性能の向上をより考慮すれば、３０００〜２００００ｍＰａ・ｓが好ましい。
【００５６】
更に、本発明において、インキ収容筒内に着色剤と、有機溶剤と、ライスオイルと、を含んでなる筆記具用油性インキ組成物を収容した油性ボールペンとした場合、筆記距離が０〜１００ｍ時点のインキ消費量を（Ｙ１）ｍｇとし、インキ終了前１００ｍのインキ消費量を（Ｙ２）ｍｇとしたとき、１．２≧Ｙ１／Ｙ２≧０．８とすることが好ましい。インキ消費量Ｙ１、Ｙ２の関係性が上記数値の範囲内であれば、筆記開始から、インキ終了時まで、安定して滑らかな書き味が得られつつ、さらに、インキの吐出安定性が維持されるため、筆跡濃淡などのない、優れた筆記性能を得ることができる。上記効果の向上を考慮すると、１．１５≧Ｙ１／Ｙ２≧０．９とすることがより好ましい。
本発明のように、ライスオイルを含んでなることは、上述の通り、ボールとボール座との間の潤滑性が向上して、筆記開始からインキ終了まで安定したインキ消費量が維持されやすいため、Ｙ１／Ｙ２の関係を上記範囲内としやすく、効果的である。
【００５７】
＜筆記具＞
本発明による筆記具用油性インキ組成物は、各種筆記具に適用することができるが、特にボールペンに用いることが好ましい。ライスオイルの潤滑効果を効果的に得やすく、優れた書き味が得られるためである。
さらには、ノック式や回転繰り出し式などの出没式ボールペンに好適に用いられる。一般的に、このような、筆記先端部が密閉されない出没式ボールペンは、チップ先端部が定常的に大気中に放置されるため、チップ先端部が乾燥し、書き出し時に筆跡カスレなどが生じやすいという課題を有している。しかし、ライスオイルを用いた本発明のインキ組成物を用いることで、上述のような問題は改善され、優れた書き出し性能を奏する。よって、本発明のインキ組成物を、出没式ボールペンに用いることは効果的である。
【００５８】
＜ボールペンチップ＞
本発明で用いられるボールペンチップのボール表面の算術平均粗さ（Ｒａ）は、０．１〜１２ｎｍとすることが好ましい。これは、ボール表面の算術平均粗さ（Ｒａ）が０．１ｎｍ未満だと、ボール表面に十分にインキが載りづらいため、筆記時に濃い筆跡が得られづらく、さらに、筆跡に線とび、カスレが発生しやすくなるためであり、算術平均粗さ（Ｒａ）が１２ｎｍを越えると、ボール表面が粗すぎて、ボールとボール座の回転抵抗が大きいため、書き味が劣りやすく、さらに、筆跡にカスレ、線とびなどの筆記性能に影響が出やすくなるためである。また、ボール表面の算術平均粗さ（Ｒａ）が０．１〜１０ｎｍであると、本発明のようなインキ組成物を用いた場合、ボール表面にインキが載りやすいためより好ましく、より書き味を考慮すれば、２〜８ｎｍであることが好ましい。
なお、ボールの表面粗さの測定は、セイコーエプソン社製のＳＰＩ３８００Ｎで求めることができる。
【００５９】
また、本発明で用いられるボールペンチップのボールの直径（ボール径）は、特に限定されない。一般的には、ボール径は、φ０．２ｍｍ〜φ２．０ｍｍ程度であるが、一般に、ボール径が大きくなるほど、ボールとボール座の接触面積が大きくなることから、優れた書き味を得るためには、ボールとボール座の間の潤滑性を考慮する必要がある。前述の通り、ライスオイルは、ボールとボール座の間の潤滑性を向上できることから、本発明のインキ組成物は、ボール径が大きいものほど、ライスオイルの潤滑効果が発揮されやすく、滑らかな書き味が得られやすい傾向にある。よって、本発明に用いられる、ボールペンチップのボール径としては、φ０．６ｍｍ以上であることが好ましく、φ０．９ｍｍ以上であることがより好ましい。
【００６０】
また、ボールに用いる材料は、特に限定されるものではない。例えば、タングステンカーバイドを主成分とする超硬合金ボール、ステンレス鋼などの金属ボール、炭化珪素、窒化珪素、アルミナ、シリカ、ジルコニアなどのセラミックスボール、ルビーボールなどが挙げられる。
【００６１】
また、チップ本体の材料は、ステンレス鋼、洋白、ブラス（黄銅）、アルミニウム青銅、アルミニウムなどの金属材、ポリカーボネート、ポリアセタール、ＡＢＳなどの樹脂材が挙げられるが、ライスオイルの潤滑効果を効果的に得て、書き味と書き出し性能を向上させることを考慮すると、金属製のチップ本体を用いることが好ましく、ボール座の摩耗抑制、経時安定性を考慮するとステンレス製のチップ本体とすることが好ましい。
【００６２】
（実施例）
以下、本発明を実施例により、さらに詳細に説明するが、本発明はこれら実施例に限定されるものではない。
【００６３】
＜実施例１＞
着色剤、有機溶剤、ライスオイル、リン酸エステル系界面活性剤、ポリビニルブチラール樹脂、ポリビニルピロリドン樹脂、有機アミンを採用し、これを所定量秤量して、６０℃に加温した後、ディスパー攪拌機を用いて完全溶解させて筆記具油性インキ組成物を得た。具体的な配合量は下記の通りである。
尚、ブルックフィールド(株)製粘度計  ビスコメーターＲＶＤＶII＋Ｐｒｏ  ＣＰ−５２スピンドルを使用して２０℃の環境下で剪断速度５ｓｅｃ−１（回転数２．５ｒｐｍ）にて実施例１のインキ粘度を測定したところ、３２００ｍＰａ・ｓであった。
【００６４】
・着色剤（赤色造塩染料：塩基性染料とアルキルベンゼンスルホン酸との造塩染料）
８．０質量％
・着色剤（青色造塩染料：塩基性染料とアルキルベンゼンスルホン酸との造塩染料）
８．０質量％
・着色剤（黄色造塩染料：有機アミンと酸性染料との造塩染料）        ８．０質量％
・着色剤（顔料分散体（カーボンブラック、顔料分２０％））       １５．０質量％
・アルコール溶剤（ベンジルアルコール）                         ４９．５質量％
・ライスオイル                                                    １．０質量％
・リン酸エステル系界面活性剤Ａ（ＨＬＢ：８．７）                  ２．０質量％
・ポリビニルブチラール樹脂Ａ（水酸基量３６ｍｏｌ％、平均重合度３００）
６．０質量％
・ポリビニルピロリドン樹脂                                        ０．５質量％
・有機アミン（オキシエチレンアルキルアミン）                      ２．０質量％
【００６５】
＜実施例２〜９、１０、１１、比較例１〜３＞
実施例１に対して、配合する成分の種類や添加量を表に示した通りに変更した以外は、実施例１と同じ方法で、実施例２〜９、１０、１１、比較例１〜３の筆記具用油性インキ組成物を得た。
【００６６】
【表１】
2020164782.tif 000002
【００６７】
【表２】
2020164782.tif 000003
【００６８】
＜試験および評価＞
得られたインキ組成物を以下の通りの方法で、試験および評価した。得られた結果は、表１および表２の通りである。
【００６９】
実施例１〜９、１０、１１および比較例１〜３で作製した筆記具用油性インキ組成物（０．２ｇ）を、超硬合金製ボール（φ０．５ｍｍ、ボール表面の算術平均粗さ（Ｒａ）：７ｎｍ）を回転自在に抱時したチップ本体（ステンレス製）を先端に有するインキ収容筒の内部に充填させたレフィルを作製し、このレフィルを、（株）パイロットコーポレーション製の油性ボールペン（スーパーグリップ（登録商標））に配設して、ボールペンを得た。得られたボールペンを試験用ボールペン(φ０．５)とし、筆記試験用紙として筆記用紙ＪＩＳ  Ｐ３２０１を用いて以下の試験および評価を行った。
尚、書き出し性能試験においては、超硬合金製ボール（φ１．０ｍｍ）を回転自在に抱持したチップ本体（ステンレス製）を用いた以外は、上記同様にボールペンを得て、この得られたボールペンを試験用ボールペン（φ１．０）とし、試験および評価を行った。
【００７０】
（書き味試験）
試験用ボールペン（φ０．５）を用いて、手書きによる書き味（筆感）を、官能試験により下記基準に従って評価した。
◎：非常に滑らかであるもの
○：滑らかであるもの
△：やや重さを感じる部分もあるが、実用上問題のない滑らかさであるもの
×：重いもの
【００７１】
（書き出し性能試験）
試験用ボールペン（φ１．０）のチップ先端部を出したまま２０℃、６５％ＲＨの環境下に３０分放置し、その後、走行試験で下記筆記条件にて筆記し、書き出しにおける筆跡カスレの長さを測定し、下記基準に従って評価した。
＜筆記条件＞筆記荷重７０ｇｆ、筆記角度７０°、筆記速度４ｍ／ｍｉｎの条件で、走行試験機にて直線書きを行い評価した。
○：筆跡カスレの長さが、５ｍｍ未満であるもの
△：筆跡カスレの長さが、５ｍｍ以上、３０ｍｍ未満であるもの
×：筆跡カスレの長さが、３０ｍｍ以上であるもの
【００７２】
尚、書き味試験を行った、実施例１のインキ組成物を用いた試験用ボールペン（φ０．５）にて、２０℃、６５％ＲＨの環境下、荷重５００ｇｆ、筆記角度７０°、４ｍ／ｍｉｎの走行試験機にて筆記試験を行い、筆記距離が０〜１００ｍ時点のインキ消費量（（Ｙ１）ｍｇ）と、インキ終了前１００ｍのインキ消費量（（Ｙ２）ｍｇ）を測定したところ、Ｙ１／Ｙ２＝１．０８であった。
また、書き出し性能試験を行った、実施例１と比較例１のインキ組成物を用いた試験用ボールペン（φ１．０）にて、上記書き味試験と同様にして評価したところ、ライスオイルを含んでなる実施例１のインキ組成物を用いたものは、ライスオイルを含まない比較例１のインキ組成物を用いたものと比較して、極めて滑らかな書き味であった。
【００７３】
実施例１〜９、１０、１１のインキ組成物は、書き味、書き出し性能ともに良好レベルのものであった。特に、ライスオイルと無機球状粒子を用いた実施例１０、実施例１１のインキ組成物は、他の実施例よりも書き味に優れていた。
また、実施例１〜９、１０、１１のインキ組成物は、筆記開始からインキ終了時まで、安定して滑らかな書き味が得られ、さらに筆跡濃淡などのない優れた筆跡を得ることができた。
【００７４】
また、比較例１〜３のインキ組成物は、ライスオイルを用いなかったため、書き味と書き出し性能の両方を満足するものではなかった。
【００７５】
また、上記で得られた実施例１、実施例１０および比較例１の筆記具用油性インキ組成物（０．２ｇ）を、超硬合金製ボール（φ０．７ｍｍ、ボール表面の算術平均粗さ（Ｒａ）：７ｎｍ）を回転自在に抱時したチップ本体（ステンレス製）を先端に有するインキ収容筒の内部に充填させたレフィルを作製し、このレフィルを、（株）パイロットコーポレーション製の油性ボールペン（スーパーグリップ（登録商標））に配設して、ボールペンを得た。得られたボールペンを試験用ボールペン(φ０．７)とし、ＪＩＳ Ｓ６０３９（ＩＳＯ１２７５７−１）に記載の筆記試験機により、筆記角度７０°、筆記荷重２００ｇ、筆記速度４ｍ／ｍｉｎにて１００ｍ筆記した後、表面性測定機（商品名：ＨＥＩＤＯＮ−１４Ｄ、新東科学株式会社製）を用いて、筆記角度７０°、４ｍｍ／ｍｉｎ、筆記荷重２００ｇの条件下で、上質紙（旧ＪＩＳ Ｐ３２０１に規定される筆記用紙Ａに相当するもの。化学パルプ１００％を原料に抄造され、秤量範囲４０〜１５７ｇ／ｍ２、白色度７５．０％以上）上で、直線筆記した際の筆記抵抗（動摩擦係数）を測定したところ、結果は以下のようになった。なお、結果の値は、各試験用ボールペン４本に対し、それぞれ４回測定した合計１６回の測定値の平均値である。
動摩擦係数は、低い順に、実施例１０、実施例１、比較例１であり、ライスオイルを含んだ実施例１、実施例１０のインキ組成物を用いたものの方が、比較例１のインキ組成物を用いたものと比較して、動摩擦係数が低く、書き味も滑らかであった。また、ライスオイルと無機球状粒子を含んでなる実施例１０のインキ組成物を用いたものの方が、実施例１のインキ組成物を用いたものと比較して、動摩擦係数は低く、書き味はより一層、滑らかであった。  
実施例１の動摩擦係数：０．１０６
実施例１０の動摩擦係数：０．１０３
比較例１の動摩擦係数：０．１０９
また、ライスオイルと無機球状粒子を含んでなる実施例１０のインキ組成物を用いたものの方が、比較例１や実施例１のインキ組成物を用いたものに比べて、得られた動摩擦係数の値のばらつきが小さく、安定的に、筆記抵抗の低減効果が得られることがわかった。
【００７６】
また、書き味試験で用いた試験用ボールペン（φ０．５）を用いて、荷重５００ｇｆ、筆記角度７０°、４ｍ/ｍｉｎの走行試験機にて筆記試験後のボール座の摩耗を測定したところ、フェライトを含んでなる実施例１０のインキ組成物を用いたものの方が、シリカを含んでなる実施例１１のインキ組成物を用いたものに比べて、ボール座の摩耗量は少なく、高筆圧下耐摩耗性に優れていた。
【００７７】
以上より、着色剤と、有機溶剤と、ライスオイルと、を含んでなる筆記具用油性インキ組成物は、滑らかな書き味を奏しつつ、筆記先端部が大気中に暫く放置された場合でも良好な筆跡を形成可能であり、書き味、書き出し性能に優れたものであること、前記筆記具用油性インキ組成物を用いた筆記具は、筆記具として優れたものであることがわかった。
【００７８】
また、ノック式油性ボールペンや回転繰り出し式油性ボールペン等の出没式油性ボールペンを用いた場合では、書き出し性能は重要な性能の１つであるが、このような筆記具において、本発明のようなインキ組成物を用いることは、効果的であることが確認できた。
【００７９】
尚、本実施例では、インキ収容筒内に筆記具用油性インキ組成物を収容したレフィルを軸筒内に配設した油性ボールペンを例示したが、本発明の油性ボールペンは、軸筒自体をインキ収容筒とし、軸筒内に、インキ組成物を直に収容した直詰め式のボールペンとした筆記具であっても良く、インキ収容筒内に筆記具用油性インキ組成物を収容したもの（ボールペンレフィル）をそのままボールペンとして使用した構造であっても良い。
【産業上の利用可能性】
【００８０】
本発明は、筆記具用油性インキ組成物として利用でき、さらに詳細としては、該筆記具用油性インキ組成物を充填した、キャップ式、ノック式等の出没式筆記具としても広く利用することができる。